(57)【要約】【課題】ＤＶＤに対してデータの追記を的確に行うことができるデータ記録制御装置を提供する。【解決手段】データ処理装置は、リードチャネル回路２１、ＰＬＬ回路２６、マルチプレクサ３２、８−１６変調回路３６等を備える。リードチャネル回路２１は、ＤＶＤから読み出されたデータに基づいてクロックＣＫ１を生成する。ＰＬＬ回路２６は、ＤＶＤのアドレス情報を示すウォブル信号とランドプリピット信号とに基づいてクロックＣＫ３を生成する。マルチプレクサ３２は、追記を行う直前まではクロックＣＫ１を８−１６変調回路３６に供給し、追記の開始後はクロックＣＫ３を供給する。８−１６変調回路３６はマルチプレクサ３２から供給されたクロックに基づいてＤＶＤへの記録データの変調処理を行う。【選択図】　　　　図１
2004030709.tif 000002
【特許請求の範囲】
【請求項１】
記録媒体としてのＤＶＤにデータの追記を行うデータ記録制御装置において、
前記ＤＶＤに記録済みのデータを読み出した第１のデータに基づいてクロックを生成する第１クロック生成回路と、
前記ＤＶＤのディスク上のアドレス情報を示す第２のデータに基づいてクロックを生成する第２クロック生成回路と、
前記ＤＶＤへ追記するデータに変調処理を施す変調回路と、
追記を行う直前までは前記第１クロック生成回路によるクロックを前記変調回路へ供給し、追記の開始後は前記第２クロック生成回路によるクロックを前記変調回路へ供給するよう切り替えを行うクロック切り替え回路と、
を備えることを特徴とするデータ記録制御装置。
【請求項２】
請求項１に記載のデータ記録制御装置において、
前記記録媒体としてＣＤにも追記を行うものであり、
前記第１クロック生成回路は、前記ＣＤへのデータの追記を行うために使用するクロック生成回路であることを特徴とするデータ記録制御装置。
【請求項３】
前記ＤＶＤからの読み出される前記第１のデータに含まれるアドレスデータに基づいてデータの追記を開始させるタイミング信号を生成するタイミング発生回路を更に備えることを特徴とする請求項１又は２に記載のデータ記録制御装置。
【請求項４】
前記ＤＶＤからの再生データに含まれるアドレスデータに基づいて前記クロック切り替え回路を制御する制御手段を更に備えることを特徴とする請求項１〜３のいずれか１項に記載のデータ記録制御装置。
【発明の詳細な説明】
【０００１】
【発明の属する技術分野】
本発明は、光ディスクへのデータの書き込みを制御するデータ記録制御に関する。
【０００２】
【従来の技術】
従来、記録媒体としてＤＶＤ（Ｄｉｇｉｔａｌ　Ｖｅｒｓａｔｉｌｅ　Ｄｉｓｋ）を用いた光ディスク記録装置が知られている。ＤＶＤのトラックは、ディスクの平坦面（ランド）に対してグルーブとよばれる溝が形成されてできている。このグルーブはわずかに蛇行（ウォブル）して形成されており、その蛇行の周期変化によりウォブル信号が生成される。また、ＤＶＤのトラック上には、上記ウォブルに加えて、ランドプリピット（ＬＰＰ）が所定の間隔で設けられており、そのランドプリピットによりランドプリピット信号（ＬＰＰ信号）が生成される。
【０００３】
ＤＶＤ対応の光ディスク記録装置では、それらウォブル信号，ＬＰＰ信号によりディスクのアドレス情報が読み出され、そのアドレス情報に基づきデータの書き込みが行われている。
【０００４】
このような光ディスク記録装置において、光ディスクに対するデータの書き込みは、一括的に行われるとは限らず、データの書き込み中にその書き込みを一旦停止し、その後、データの追記を行う場合がある。この場合、前記ウォブル信号，ＬＰＰ信号に基づいて、光ディスクにおけるデータ未記録領域のアドレスが認識され、データの書き込みが再開される。またこのとき、書き込み用のデータへの変調処理は、ＬＰＰ信号、ウォブル信号から生成したクロックを用いて行われる。
【０００５】
【発明が解決しようとする課題】
ところが、上記ウォブル信号の周期は、記録データの１ビットに対応する時間間隔と比較して大きいため、データの追記を的確に行うことができない。つまり、データの追記のためのアドレスの把握を高精度に行うことができず、その追記前のデータと追記後のデータとの間に隙間（データの未記録領域）が生じるといった問題が生じてしまう。
【０００６】
本発明は、こうした実情に鑑みてなされたものであり、その目的は、ＤＶＤへのデータの追記を的確に行うことができるデータ記録制御装置を提供することにある。
【０００７】
【課題を解決するための手段】
この発明は、記録媒体としてのＤＶＤにデータの追記を行うデータ記録制御装置において、前記ＤＶＤに記録済みのデータを読み出した第１のデータに基づいてクロックを生成する第１クロック生成回路と、前記ＤＶＤのディスク上のアドレス情報を示す第２のデータに基づいてクロックを生成する第２クロック生成回路と、前記ＤＶＤへ追記するデータに変調処理を施す変調回路と、追記を行う直前までは前記第１クロック生成回路によるクロックを前記変調回路へ供給し、追記の開始後は前記第２クロック生成回路によるクロックを前記変調回路へ供給するよう切り替えを行うクロック切り替え回路とを備えることで、ＤＶＤへのデータの追記を的確に行うことを可能とする。
【０００８】
【発明の実施の形態】
本願発明のデータ記録制御装置を説明するにあたり、先ず、光ディスク記録装置を説明する。
【０００９】
図２は、ＣＤ（Ｃｏｍｐａｃｔ　Ｄｉｓｃ）とＤＶＤ（Ｄｉｇｉｔａｌ　Ｖｅｒｓａｔｉｌｅ　Ｄｉｓｋ）とを記録媒体として扱うことができる光ディスク記録装置１の概略構成を示すブロック図である。同光ディスク記録装置１は、ホストコンピュータ１１に接続されており、ホストコンピュータ１１から入力されるデータを光ディスク（ＣＤ又はＤＶＤ）１２に記録し、また逆に光ディスク１２から読出（再生）したデータをホストコンピュータ１１に出力する。
【００１０】
光ディスク記録装置１は、スピンドルモータ２、光学ヘッド３、ピックアップ４、リードアンプ５、データ処理装置６、ＤＲＡＭ７、制御マイコン８等を備える。光ディスク記録装置１において、データ処理装置６、ＤＲＡＭ７、制御マイコン８は、バス９を介して接続され、相互にデータの授受を行うことができるようになっている。
【００１１】
データ記録時において、光学ヘッド３は、スピンドルモータ２により回転駆動される光ディスク１２の記録層に記録データに応じたレーザビームを照射する。このレーザビームの出力が高出力であるとき記録ピットが形成され、同レーザビームの出力が低出力であるとき記録ピットが形成されない。この記録ピットの形成の有無により、光ディスク１２における記録層の反射率が変化する。そして、データ再生時にて、光学ヘッド３から再生用の低出力のレーザビームが照射されると、ピックアップ４は、光ディスク１２で反射された反射光を受光し、その反射光の強弱を電気信号に変換する。リードアンプ５は、ピックアップ４からの電気信号を増幅してデータ記録制御装置としてのデータ処理装置６に入力する。
【００１２】
データ処理装置６は、デコーダ及びエンコーダの機能を有し、光ディスク１２から読み出したデータを復調する処理や光ディスク１２に記憶するためのデータに変調する処理等の各種データ処理を行う。ＤＲＡＭ７は、光ディスク１２の再生データや記録データを一旦格納するメモリである。制御手段としての制御マイコン８は、所定の制御プログラムに従ってデータ処理装置６等の動作を制御し、光ディスク記録装置１を統括管理する。つまり、制御マイコン８は、ホストコンピュータ１１からの再生指令あるいは記録指令に応答してデータ処理装置６を制御する。それにより、制御マイコン８は、要求のあったデータを光ディスク１２から読み出してホストコンピュータ１１側へ転送し、あるいは逆にホストコンピュータ１１側からデータ処理装置６へ要求のあったデータを光ディスク１２に記録する。
【００１３】
本実施形態における光ディスク記録装置１は、バッファアンダーランエラーの発生を防止する機能を有している。具体的には、データの記録時において、ホストコンピュータ１１からＤＲＡＭ７へのデータ転送が一時的に停止された場合、光ディスク記録装置１は、所定量（例えばパケットライトに必要なデータ量以上）のデータがＤＲＡＭ７に蓄積されていれば、そのままデータの記録を継続する。そして、光ディスク記録装置１は、ＤＲＡＭ７が空になる前に（例えば蓄積データの量がパケットライトに必要なデータ量未満になると）、データの記録を一旦停止する。その後、ホストコンピュータ１１からのデータ転送が再開されＤＲＡＭ７にデータが蓄積されると、光ディスク記録装置１は、光ディスク１２へのデータ記録を再開する。このとき、データ処理装置６において使用するクロックやアドレス情報を切り替えることにより、既にデータが書き込まれている記録領域に継ぎ目なくデータを追記するようにしている。
【００１４】
尚、バッファアンダーランエラーは、上記転送が一時的に停止する場合以外に、例えばホストコンピュータ１１とＤＲＡＭ７の間の転送速度に比べて書き込み速度が速い場合に発生する。この場合、ホストコンピュータ１１からのデータ転送は継続されており、光ディスク記録装置１はＤＲＡＭ７に蓄積された書き込みデータのデータ量により光ディスク１２への記録の停止・再開を制御する。
【００１５】
図１は、データ処理装置６の概略構成を示すブロック図である。データ処理装置６は、リードチャネル回路２１、ＥＦＭ復調回路２２、８−１６復調回路２３、水晶発振回路２４、ＡＴＩＰ復調回路２５、ＰＬＬ回路２６，２７、ＬＰＰデコーダ２８、マルチプレクサ２９〜３３、ライトタイミング発生回路３４、ＥＦＭ変調回路３５、８−１６変調回路３６、ライトストラテジ回路３７等を備えている。このデータ処理装置６は、各回路２１〜３７を１チップに集積化したＬＳＩ（集積回路装置）として実現されている。
【００１６】
前記リードアンプ５にて増幅される電気信号としては、ＲＦ（ｒａｄｉｏ　ｆｒｅｑｕｅｎｃｙ：無線周波数）信号、ウォブル信号、ランドプリピット（ＬＰＰ）信号を含み、このうちＲＦ信号が第１クロック生成回路としてのリードチャネル回路２１に入力される。リードチャネル回路２１は、ＲＦ信号に基づいて、デジタルデータＤ１とクロックＣＫ１とを生成する。
【００１７】
光ディスク１２における１チャネルビット幅をＴとすると、ＤＶＤの場合、光ディスク１２に形成されるピットが３Ｔ〜１４Ｔに対応する長さに設定されている。一方、ＣＤの場合、光ディスク１２に形成されるピットは３Ｔ〜１１Ｔに対応する長さに設定されている。リードチャネル回路２１において、ＤＶＤの場合には１４Ｔのピットによる電気信号（同期信号）に基づいてクロックＣＫ１が生成され、ＣＤの場合には１１Ｔのピットによる電気信号（同期信号）に基づいてクロックＣＫ１が生成される。
【００１８】
そして、光ディスク１２がＣＤである場合、リードチャネル回路２１は、ＲＦ信号から生成したクロックＣＫ１及びデジタルデータＤ１をＥＦＭ復調回路２２に入力する。ＥＦＭ復調回路２２は、クロックＣＫ１に基づいてデジタルデータＤ１をサンプリングし読み出し対象となるデータを抽出した後、その抽出データに対して８−１４復調処理を施す。そして、ＥＦＭ復調回路２２は、復調したデータに含まれるアドレスデータＡ１をマルチプレクサ２９に入力する。
【００１９】
一方、光ディスク１２がＤＶＤである場合、リードチャネル回路２１は、ＲＦ信号から生成したクロックＣＫ１及びデジタルデータＤ１を８−１６復調回路２３に入力する。８−１６復調回路２３は、クロックＣＫ１に基づいてデジタルデータＤ１をサンプリングし読み出し対象となるデータを抽出した後、その抽出データに対して８−１６復調処理を施す。８−１６復調回路２３は、復調したデータに含まれるアドレスデータＡ２をマルチプレクサ２９に入力する。
【００２０】
また、ＡＴＩＰ復調回路２５は、光ディスク１２がＣＤである場合、リードアンプ５により増幅されたウォブル信号を取り込み、その信号から光ディスク１２のアドレスデータＡ３を生成し、同アドレスデータＡ３をマルチプレクサ２９に入力する。
【００２１】
ＬＰＰデコーダ２８は、光ディスク１２がＤＶＤである場合、リードアンプ５により増幅されたウォブル信号とＬＰＰ信号とをＰＬＬ回路２６を介して取り込む。ＬＰＰデコーダ２８は、そのウォブル信号とＬＰＰ信号から光ディスク１２のアドレスデータＡ４を生成し、そのアドレスデータＡ４をマルチプレクサ２９に入力する。
【００２２】
マルチプレクサ２９は、制御マイコン８が出力する選択信号Ｓ１に基づいて、アドレスデータＡ１〜Ａ４のいずれか１つを選択的にライトタイミング発生回路３４に入力する。ライトタイミング発生回路３４は、マルチプレクサ２９から入力されるアドレスデータと、制御マイコン８から入力される追記開始アドレスデータＡ０とに基づいてタイミング信号ＷＴを生成し、同タイミング信号ＷＴをＥＦＭ変調回路３５又は８−１６変調回路３６に入力する。なお、このタイミング信号ＷＴは、光ディスク１２へのデータ記録を開始または終了させるための信号である。
【００２３】
前記リードチャネル回路２１は、ＲＦ信号から生成したクロックＣＫ１をマルチプレクサ３１，３２に入力する。
【００２４】
水晶発振回路２４は、一定周波数の発振信号をマルチプレクサ３０に入力する。また、前記ＡＴＩＰ復調回路２５は、検出したウォブル信号をマルチプレクサ３０に入力する。同マルチプレクサ３０は、制御マイコン８が出力する選択信号Ｓ２に基づいて、ウォブル信号と発振信号のうちのいずれか一方を選択的にＰＬＬ回路２７に入力する。なお、光ディスク記録装置１において、線速度一定（ＣＬＶ：Ｃｏｎｓｔａｎｔ　Ｌｉｎｅａｒ　Ｖｅｌｏｃｉｔｙ）方式が設定された場合には水晶発振回路２４からの発振信号がマルチプレクサ３０を介してＰＬＬ回路２７に入力される。また、角速度一定（ＣＡＶ：Ｃｏｎｓｔａｎｔ　Ａｎｇｕｌａｒ　Ｖｅｌｏｃｉｔｙ）方式が設定された場合には、ＡＴＩＰ復調回路２５からのウォブル信号がマルチプレクサ３０を介してＰＬＬ回路２７に入力される。ＰＬＬ回路２７は、その入力信号（発振信号またはウォブル信号）に基づいてクロックＣＫ２を生成しマルチプレクサ３１に入力する。
【００２５】
マルチプレクサ３１は、制御マイコン８が出力する選択信号Ｓ３に基づいて、クロックＣＫ１とクロックＣＫ２のいずれか一方を選択的にＥＦＭ変調回路３５に入力する。具体的には、ＣＤにデータの追記を行う場合、その追記の開始直前までは、リードチャネル回路２１からのクロックＣＫ１がマルチプレクサ３１を介してＥＦＭ変調回路３５に入力され、追記開始後は、ＰＬＬ回路２７からのクロックＣＫ２がマルチプレクサ３１を介してＥＦＭ変調回路３５に入力される。
【００２６】
ＥＦＭ変調回路３５は、マルチプレクサ３１からの入力クロックにより動作し、ＤＲＡＭ７から転送されてくる記録データＤ２に対して８−１４変調処理を行う。そして、ＥＦＭ変調回路３５は、前記ライトタイミング発生回路３４からのタイミング信号ＷＴに応答して、その変調後のデータをマルチプレクサ３３に入力する。
【００２７】
また、第２クロック生成回路としてのＰＬＬ回路２６は、ウォブル信号とＬＰＰ信号に基づいてクロックＣＫ３を生成してクロック切り替え回路としてのマルチプレクサ３２に入力する。マルチプレクサ３２は、制御マイコン８が出力する選択信号Ｓ４に基づいて、クロックＣＫ１とクロックＣＫ３のいずれか一方を選択的に８−１６変調回路３６に入力する。
【００２８】
ＤＶＤにおけるウォブル信号の１周期は、１８６Ｔ（「Ｔ」は１チャネルビット幅）に対応しており、ウォブル信号の周波数を１８６倍に変換することでクロックＣＫ３が生成される。一方、クロックＣＫ１は、データ読み出し時に検出される３Ｔ及び１４Ｔのピットによる同期信号に基づき、その信号の周波数を１４倍に変換することで生成される。従って、クロックＣＫ１は、クロックＣＫ３よりも正確に記録タイミングを設定できる。
【００２９】
そのため、光ディスク記録装置１においてデータの追記を行う場合、その追記の開始直前までは、リードチャネル回路２１からのクロックＣＫ１がマルチプレクサ３２を介して８−１６変調回路３６に入力される。また、追記開始後は、ＰＬＬ回路２６からのクロックＣＫ３がマルチプレクサ３２を介して８−１６変調回路３６に入力される。
【００３０】
８−１６変調回路３６は、マルチプレクサ３２からの入力クロックにより動作し、ＤＲＡＭ７から転送されてくる記録データＤ３に対して８−１６変調処理を行う。そして、８−１６変調回路３６は、前記ライトタイミング発生回路３４からのタイミング信号ＷＴに応答して、その変調後のデータをマルチプレクサ３３に入力する。
【００３１】
マルチプレクサ３３は、制御マイコン８が出力する選択信号Ｓ５に基づいて、ＥＦＭ変調回路３５からのデータと８−１６変調回路３６からのデータのうちのいずれか一方を選択的にライトストラテジ回路３７に入力する。ここで、光ディスク１２がＣＤである場合にはＥＦＭ変調回路３５からのデータが、光ディスク１２がＤＶＤである場合には８−１６変調回路３６からのデータがマルチプレクサ３３を介してライトストラテジ回路３７に入力される。
【００３２】
ライトストラテジ回路３７は、マルチプレクサ３３からの入力データに基づいて、レーザビームの出力強度を考慮したパルス信号を生成して出力する。このパルス信号により光学ヘッド３のレーザドライバ（図示せず）が駆動されレーザビームが出力されて記録データに応じた記録ピットが光ディスク１２に形成される。
【００３３】
次に、ＤＶＤに対してデータの追記を行う場合の具体的な動作について説明する。
【００３４】
制御マイコン８は、ＤＲＡＭ７におけるデータの残量に基づいてライトタイミング発生回路３４に停止要求を出力する。すると、ライトタイミング発生回路３４は、８−１６変調回路３６へのタイミング信号ＷＴの出力を停止し、８−１６変調回路３６は変調後のデータ出力を停止する。これにより、ライトストラテジ回路３７の出力によるレーザ駆動が停止されて光ディスク１２へのデータ書き込みが停止される。なおこのとき、制御マイコン８は、光ディスク１２のどこの領域までデータを書き込んだのかといったアドレス情報を記憶し、その情報に基づいて、ライトタイミング発生回路３４に入力するための追記開始アドレスデータＡ０を設定する。
【００３５】
そして、データの追記に先立ち、光ディスク１２に書き込まれているデータが読み出される。つまり、ピックアップ４→リードアンプ５→リードチャネル２１→８−１６復調回路２３を介して光ディスク１２の記録データが読み出され、そのデータに含まれるアドレスデータＡ２がマルチプレクサ２９を介してライトタイミング発生回路３４に入力される。このアドレスデータＡ２は制御マイコン８にも取り込まれる。
【００３６】
また、光ディスク１２からの読み出しデータに基づきリードチャネル回路２１においてクロックＣＫ１が生成される。このクロックＣＫ１はリードチャネル回路２１からマルチプレクサ３２を介して８−１６変調回路３６に入力される。そして、データ追記を開始する直前までは、そのクロックＣＫ１により８−１６変調回路３６における記録データＤ３の変調処理が行われる。
【００３７】
ライトタイミング発生回路３４は、マルチプレクサ２９からのアドレスデータＡ２が追記開始アドレスデータＡ０に一致したとき、タイミング信号ＷＴを８−１６変調回路３６に入力する。このタイミング信号ＷＴにより、変調処理が施された記録データが８−１６変調回路３６からマルチプレクサ３３を介してライトストラテジ回路３７に入力される。その記録データに応じたパルス信号がライトストラテジ回路３７から出力されることにより、光学ヘッド３のレーザが駆動され光ディスク１２へのデータの追記が行われる。
【００３８】
このデータの追記が開始されるとき、光ディスク１２においてレーザビームが照射されるトラック領域はデータが未記録であるため、レーザピックアップにより検出されるＲＦ信号に基づいてアドレスデータＡ２やクロックＣＫ１を生成することができない。従って、制御マイコン８は、読み出しデータに含まれるアドレスデータＡ２に基づいて、選択信号Ｓ４によるクロックの切り替えタイミングを判断し、データの追記を開始する直前のタイミングにおいて、８−１６変調回路３６に入力するクロックＣＫ１をクロックＣＫ３に切り替える。この切り替えにより、追記開始後では、８−１６変調回路３６における変調処理がクロックＣＫ３に基づいて行われる。
【００３９】
また、追記開始後には、読み出しデータに基づくアドレスデータＡ２を生成できない。そのため、マルチプレクサ２９からライトタイミング発生回路３４に入力されるアドレスデータＡ２が、追記開始後において選択信号Ｓ１によりアドレスデータＡ４に切り替えられる。ライトタイミング発生回路３４では、そのアドレスデータＡ４により追記を終了するタイミングが判定されてタイミング信号ＷＴの出力が停止される。
【００４０】
一方、光ディスク１２がＣＤである場合も同様に、データの追記に先立ち、光ディスク１２に書き込まれているデータが読み出され、その読み出しデータに基づきアドレスデータＡ１及びクロックＣＫ１が生成される。このクロックＣＫ１により変調処理が行われ、また、アドレスデータＡ１により追記の開始タイミングが判定される。追記の開始直前において、ＥＦＭ変調回路３５に入力されるクロックＣＫ１が、制御マイコン８からの選択信号Ｓ３によりクロックＣＫ２に切り替えられ、追記開始後には、そのクロックＣＫ２により変調処理が行われる。
また、追記開始後には、ライトタイミング発生回路３４に入力されるアドレスデータＡ１が、制御マイコン８からの選択信号Ｓ１によりアドレスデータＡ３に切り替えられる。そして、アドレスデータＡ３により追記の終了タイミングが判定される。
【００４１】
以上詳述したように本実施の形態は、以下の特徴を有する。
【００４２】
（１）ＤＶＤへデータの追記を行う場合、読み出しデータから生成した正確なクロックＣＫ１を用いて記録データＤ３の変調処理を行うことができる。よって、ウォブル信号とランドプリピット信号から生成するクロックＣＫ３のみにより変調処理を行っていた従来技術と比較して、データの追記を的確に行うことができる。
【００４３】
（２）ＣＤ及びＤＶＤ対応の光ディスク記録装置１において、リードチャネル回路２１がＤＶＤとＣＤとで共通の回路構成となっているので、回路規模の増大を抑えることが可能となる。
【００４４】
（３）ＤＶＤからの読み出しデータに含まれるアドレスデータＡ２に基づいて、データの追記を開始させるタイミング信号ＷＴが生成されるので、データの追記を的確に行うことができる。つまり、光ディスク１２においてデータ書き込み済みの記録領域に継ぎ目なくデータを追記することができ、データの追記により形成されるデータの未記録領域を抑制することができる。
【００４５】
（４）制御マイコン８は、読み出しデータに含まれるアドレスデータＡ２に基づいて、８−１６変調回路３６への入力クロックの切り替えタイミングを判断し、選択信号Ｓ４によりマルチプレクサ３２から８−１６変調回路３６に入力するクロックを切り替えるようにした。この場合、８−１６変調回路３６への入力クロックの切り替えを的確なタイミングで行うことができる。
【００４６】
（５）データ処理装置６は、各回路２１〜３７を１チップに集積化してなるので、光ディスク記録装置１の小型化を図ることができる。
【００４７】
なお、上記以外に次の形態にて具体化できる。
【００４８】
・上記実施形態では、ＣＤ及びＤＶＤ対応の光ディスク記録装置１に具体化したが、ＤＶＤ専用の光ディスク記録装置に具体化してもよい。この場合、図２におけるＥＦＭ復調回路２２、ＥＦＭ変調回路３５、マルチプレクサ３１，３３等の回路を削除したデータ処理装置を用いる。
【００４９】
・上記実施形態において、データ処理装置６は、図２に示す各回路２１〜３７を１チップに集積化してなる集積回路装置として実現するものであったが、これに限るものではなく、複数のチップで構成してもよい。
【００５０】
上記実施形態から把握できる技術思想をその効果とともに記載する。
【００５１】
（イ）前記第１及び第２のクロック生成回路と、変調回路と、クロック切り替え回路とを１チップに集積化したことを特徴とする請求項１〜４のいずれか１項に記載のデータ記録制御装置。このように、第１及び第２のクロック生成回路と、変調回路と、クロック切り替え回路とを１チップに集積化することにより、データ記録制御装置の小型化を図ることができる。
【００５２】
【発明の効果】
請求項１に記載の発明では、データの追記を行う直前までは、光ディスクからの読み出しデータに基づいて生成したクロックを用いて記録データの変調処理が行われる。追記の開始後は、ウォブル信号とランドプリピット信号に基づいて生成したクロックを用いて記録データの変調処理が行われる。つまり、データの追記の際に、読み出しデータから生成した正確なクロックを用いて記録データの変調処理が行われるので、ウォブル信号とランドプリピット信号から生成するクロックのみにより変調処理を行っていた従来技術と比較して、データの追記を的確に行うことが可能となる。
【００５３】
請求項２に記載の発明では、ＣＤ及びＤＶＤ対応のデータ記録制御装置において、第１クロック生成回路がＤＶＤとＣＤとで共通の回路として使用される。従って、データ記録制御装置において、新たにＤＶＤの追記機能を付加する場合、従来からあるＣＤのクロック生成回路を用いることにより、回路規模の増大を抑えることができる。
【００５４】
請求項３に記載の発明では、ＤＶＤからの読み出しデータに含まれるアドレスデータに基づいてデータの追記を開始させるタイミング信号が生成されるので、データの追記を的確に行うことができる。
【００５５】
請求項４に記載の発明では、ＤＶＤからの再生データに含まれるアドレスデータに基づいてクロック切り替え回路が制御されるので、変調回路へのクロックの切り替えを的確に行うことができる。
【図面の簡単な説明】
【図１】本発明にかかるデータ記録制御装置の一実施形態の概略構成を示すブロック図。
【図２】同実施形態における光ディスク記録装置の概略構成を示すブロック図。
【符号の説明】
６…データ記録制御装置としてのデータ処理装置、２１…第１クロック生成回路としてのリードチャネル回路、２６…第２クロック生成回路としてのＰＬＬ回路、３２…クロック切り替え回路としてのマルチプレクサ、３４…ライトタイミング発生回路。
【図１】
2004030709.tif 000003
【図２】
2004030709.tif 000004